(57)【要約】【課題】液晶パネルと偏光板の間隔を狭くして冷却能力を向上させることができる液晶プロジェクターを提供することを目的とする。【解決手段】液晶パネルＡならびに出射側偏向板Ｃを透過した光を投射するとともに前記液晶パネルと偏向板との間に冷却風を当てて冷却する液晶プロジェクタにおいて、液晶パネルＡが取付けられる液晶パネル取付枠４３を出射側偏向板Ｃに所定間隔をもって対向配置し、この液晶パネル取付枠４３の冷却風の風上側の風路に当る部分に切欠部Ｊを設け、前記液晶パネル取付枠４３と偏向板Ｃとの間の開口を広げることにより偏光板Ｃと液晶パネル取付枠４３との間の冷却風の風路幅を確保しているので、液晶パネルと偏光板の間隔を狭くすると冷却風の速度が上がる。【選択図】　図４
2004061894.tif 000002
【特許請求の範囲】
【請求項１】
液晶パネルならびに偏向板を透過した光を投射するとともに前記液晶パネルと偏向板との間に冷却風を当てて冷却する液晶プロジェクタにおいて、
前記偏向板に所定間隔をもって対向配置され前記液晶パネルが取付けられる液晶パネル取付枠を有し、
この液晶パネル取付枠の冷却風の風上側の風路に当る部分を変形させて前記液晶パネル取付枠と偏向板との間の開口を広げることにより偏光板と液晶パネル取付枠との間の冷却風の風路幅を広げたことを特徴とする液晶プロジェクタ。
【請求項２】
液晶パネルならびに偏向板を透過した光を投射するとともに前記液晶パネルと偏向板との間に冷却風を当てて冷却する液晶プロジェクタにおいて、
前記偏向板に所定間隔をもって対向配置され前記液晶パネルが取付けられる液晶パネル取付枠を有し、
この液晶パネル取付枠の冷却風の風上側の風路に当る部分を切り欠いて液晶パネル取付枠と偏向板との間の開口を広げることにより偏光板と液晶パネル取付枠との間の冷却風の風路幅を広げたことを特徴とする液晶プロジェクタ。
【請求項３】
液晶パネルならびに偏向板を透過した光を投射するとともに前記液晶パネルと偏向板との間に冷却風を当てて冷却する液晶プロジェクタにおいて、
前記偏向板に所定間隔をもって対向配置され前記液晶パネルが取付けられる液晶パネル取付枠を有し、
この液晶パネル取付枠の冷却風の風下側の風路に当る部分を切り欠いて液晶パネル取付枠と偏向板との間の開口を広げることにより偏光板と液晶パネル取付枠との間の冷却風の風路幅を広げたことを特徴とする液晶プロジェクタ。
【請求項４】
液晶パネルならびに偏向板を透過した光を投射するとともに前記液晶パネルと偏向板との間に冷却風を当てて冷却する液晶プロジェクタにおいて、
前記偏向板に所定間隔をもって対向配置され前記液晶パネルが取付けられる液晶パネル取付枠を有し、
前記液晶パネル取付枠には冷却風の風上側において液晶パネルと液晶パネル取付枠との間に隙間が形成される開口を有し、液晶パネルと液晶パネル取付枠との間に冷却風の風路を形成することを特徴とする液晶プロジェクタ。
【請求項５】
液晶パネルならびに偏向板を透過した光を投射するとともに前記液晶パネルと偏向板との間に冷却風を当てて冷却する液晶プロジェクタにおいて、
前記偏向板に所定間隔をもって対向配置され前記液晶パネルが取付けられる液晶パネル取付枠を有し、
前記液晶パネル取付枠には冷却風の風下側において液晶パネルと液晶パネル取付枠との間に隙間が形成される開口を有し、液晶パネルと液晶パネル取付枠との間に冷却風の風路を形成することを特徴とする液晶プロジェクタ。
【請求項６】
液晶パネルならびに偏向板を透過した光を投射するとともに前記液晶パネルと偏向板との間に冷却風を当てて冷却する液晶プロジェクタにおいて、
前記偏向板に所定間隔をもって対向配置され前記液晶パネルが取付けられる液晶パネル取付枠を有し、
前記液晶パネル取付枠の冷却風の風上側若しくは風下側でかつ偏向板と対向する部分を前記液晶パネル側に折曲げて液晶パネル取付枠と偏向板との間の開口を広げることにより偏光板と液晶パネル取付枠との間の冷却風の風路幅を広げたことを特徴とする液晶プロジェクタ。
【請求項７】
液晶パネルならびに偏向板を透過した光を投射するとともに前記液晶パネルと偏向板との間に冷却風を当てて冷却する液晶プロジェクタにおいて、
前記偏向板に所定間隔をもって対向配置され前記液晶パネルが取付けられる液晶パネル取付枠を有し、
前記液晶パネル取付枠を冷却風の向きと交差する方向の一端側において液晶パネルを支持する第１の取付枠と冷却風の向きと交差する方向の他端側において液晶パネルを支持する第２の取付枠とにより構成することにより冷却風の向きと交差する方向の中央部において前記液晶パネルと偏光板との間の冷却風の風路幅を広げたことを特徴とする液晶プロジェクタ。
【請求項８】
液晶パネルならびに偏向板を透過した光を投射するとともに前記液晶パネルと偏向板との間に冷却風を当てて冷却する液晶プロジェクタにおいて、
前記液晶パネルに対して光の入射側に配置され前記液晶パネルが取付けられる液晶パネル取付枠を有し、上記液晶パネルを透過した光の出射側に液晶パネルと所定の間隔をもって前記偏向板を配置することにより、前記液晶パネルと前記偏向板との間に冷却風の風路を形成することを特徴とする液晶プロジェクタ。
【発明の詳細な説明】
【０００１】
【発明の属する技術分野】
本発明は液晶パネル及び偏光板を有し、液晶パネルならびに偏向板を透過した光を投射する液晶プロジェクターに関するものである。
【０００２】
【従来の技術】
投射型表示装置として液晶プロジェクターが普及している。この液晶プロジェクターは、光源からの光を透過型液晶パネルに照射し、液晶パネルをテレビジョン信号やパソコン等からの情報信号に基づいて駆動することで、液晶パネルから変調された光を出射し、投射レンズを介してスクリーンに拡大された映像を投射するものである。
【０００３】
上記光源としては非常に高輝度なランプが必要になるために、ハロゲンランプ等が使用されている。このランプの点灯中はランプの発熱により、非常に高温となるため、送風ファンを用いてランプ及び液晶パネル周辺に冷却風を送り冷却する方法が採用されている。
【０００４】
液晶パネルの入射側及び出射側には偏光板が配置されており、これら偏光板はポリカーボネイトを材料としているため、ランプからの光を透過する際に、透過できない光が熱エネルギーに換わり温度上昇するため、液晶パネルとともに偏光板も冷却しなければならない。
【０００５】
ところで、偏光板と液晶パネルの冷却割合は、それぞれの光が熱エネルギーに変換される熱量、即ち光ロス分で決定する。光ロスは、液晶パネルの開口率、並びに光源からのＰ波をＳ波に（又波Ｓ波をＰ波に）変換する平行変換の効率、さらに偏光板の透過率等で決まり、液晶プロジェクターの機種によってこれらの条件は異なるので、偏光板と液晶パネルの冷却割合も機種によって様々である。
【０００６】
偏光板と液晶パネルを効率よく冷却するために特開平１１−２９５８１４号に示される装置では、冷却ファンから送風される風の向きを最適とする風向板を設けるものがある。
【０００７】
又、特開２００１−３１８３６１号には、液晶パネルを保持する保持枠に冷却用空気の流れを案内する突起部を設け、冷却空気の流れを整える装置が開示されている。
【０００８】
このように偏光板と液晶パネルを効率よく冷却する技術としては種々のものが存在しているが、液晶プロジェクターをある程度明るい室内で利用したい、あるいは、スクリーン上に大きな映像を投射したいという顧客からの要望により、年々、ランプの高輝度化が図られ、このランプの高輝度化に伴って、偏光板と液晶パネルの冷却能力も向上させる必要が生じている。
【０００９】
ここで、液晶データプロジェクタを高輝度化にするにあたり、特に難しいのは液晶パネル・偏光板の冷却であり、この冷却のための風速と風量との関係は次の式１のようになる。
【００１０】
風速＝風量／風路の断面積（式１）
【００１１】
上記（式１）から従来、より大型のファンを採用する、ないしは複数のファンを採用するなど冷却風量をアップすることによって高輝度化を実現して来た。
【００１２】
しかしながら、高輝度化の為に大型のファンを採用する、ないしは複数ファンを採用することで冷却風量をアップすると、製品自体が大型化し、重量が増化するばかりでなく、風量アップによって液晶パネル表示部に付着するゴミの量が増大し、さらに、吸気フィルタを冷却用空気が通過する時に発生する風切り音が増大するなどのデメリットがあった。
【００１３】
一方高輝度化に伴い増化する発熱量を液晶パネル・偏光板を冷却している空気の風速を上げることで補うことも考えられる。
【００１４】
即ち、上述した（式１）から、風路の断面積を小さくする、つまり液晶パネル、偏光板、プリズムなどの間隔を狭くし冷却用空気が通過する風路巾を小さくすることで風速を上げることが可能であり、理論的には風量アップと同等の効果を得られる。又、同時に冷却風量アップ時に生じる不具合も発生しない。
【００１５】
しかしながら、風路の断面積を小さくするために、入射側偏光板、液晶パネル、出射側偏光板の間隔を狭くした場合には、液晶パネルを取付けるための保持枠と入射側偏光板若しくは出射側偏光板との距離も小さくなることとなる。
【００１６】
液晶パネルと出射側偏光板の距離をＹ、保持枠と出射側偏光板の距離をＸ、保持枠と出射側偏光板との間に送られる冷却用空気の風速をＡとした場合、液晶パネルと出射側偏光板との間を流れる冷却用空気の風速Ｂは次式のとおりとなる。
【００１７】
Ｂ　∝　Ａ＊（Ｘ／Ｙ）　（式２）
【００１８】
即ち、液晶パネルの取付け枠と出射側偏光板とが干渉し、その部分だけ風路巾が狭くなることから、液晶パネルと出射側偏光板の距離Ｙを小さくすると保持枠と出射側偏光板の距離Ｘも小さくなり液晶パネルと出射側偏光板との間を流れる冷却用空気の風速Ｂが下がってしまう。
【００１９】
逆に液晶パネルと出射側偏光板の距離Ｙが十分広ければ、Ｘ／Ｙは「１」に近くなるため、風速Ｂは風速Ａに近くなり冷却損失も少なくなるが、それでは風量をアップする必要性が出てくる。従って、従来の構造においては、液晶パネルと偏光板との間隔を狭くして風路の断面積を小さくし、冷却用空気の風速を上げることは困難であり、冷却用空気の風量を上げる以外にはランプの高輝度化に対応できなかった。
【００２０】
【発明が解決しようとする課題】
本発明は、上述した従来の液晶プロジェクターにおける、液晶パネルと偏光板との間隔を狭くし風路の断面積を小さくしても冷却用空気の風速を上げることができないという点に鑑み成されたもので、液晶パネルと偏光板との間隔を狭くしても冷却用空気の風速が低下することの無い液晶プロジェクターを提供することを目的とする。
【００２１】
【課題を解決するための手段】
本発明は上記課題を解決するために、液晶パネルならびに偏向板を透過した光を投射するとともに前記液晶パネルと偏向板との間に冷却風を当てて冷却する液晶プロジェクタにおいて、前記偏向板に所定間隔をもって対向配置され前記液晶パネルが取付けられる液晶パネル取付枠を有し、この液晶パネル取付枠の冷却風の風上側の風路に当る部分を変形させて前記液晶パネル取付枠と偏向板との間の開口を広げることにより偏光板と液晶パネル取付枠との間の冷却風の風路幅を広げたものである。
【００２２】
【発明の実施の形態】
以下本発明の実施形態を図を参照して説明する。図１は本発明の実施形態に関わる液晶プロジェクター１０の全体構造を説明する平面図であり、Ｒ（赤），Ｇ（緑），Ｂ（青）用の液晶パネルを有する三板式液晶プロジェクターの例を示している。
【００２３】
図１において、１１は光学ボックスであり、このボックスに近接してランプハウス１２を備えている。ランプハウス１２の中には光源として、発光管１及びリフレクタ２から成るランプ３が配置されている。前記発光管１からの光はリフレクタ２によって反射され、赤外線や紫外線等の不要光をフィルタ１３で除去した後、コンデンサレンズ１４や反射ミラー１５を介してダイクロイックミラー１６に供給される。
【００２４】
ダイクロイックミラー１６は、ランプ３からの光をＲ光とＧＢ光に分光し、分離されたＲ光はミラー１７で反射され、フィールドレンズ１８を介してＲ用の液晶パネル１９に照射される。
【００２５】
またダイクロイックミラー１６により分離されたＧＢ光はダイクロイックミラー２０によりＧ光とＢ光に分光され、Ｇ光はフィールドレンズ２１を介してＧ用の液晶パネル２２に照射され、Ｂ光はリレーレンズ２３、反射ミラー２４、リレーレンズ２５、反射ミラー２６及びリレーレンズ２７を介してＢ用の液晶パネル２８に照射される。
【００２６】
さらに、各液晶パネル１９，２２，２８を透過したＲ光，Ｇ光，Ｂ光はダイクロイックプリズム２９によって合成され、この合成された映像光を投射レンズ３０によってスクリーン（図示せず）に投射するように構成されている。
【００２７】
こうしてＲ，Ｇ，Ｂ用の液晶パネル１９，２２，２８をＲ，Ｇ，Ｂの原色信号で駆動することにより、カラー画像を投射することができる。また、前記液晶パネル１９，２２，２８の入射側には偏光板１９１，２２１，２８１が所定間隔を置いて配置され、前記液晶パネル１９，２２，２８の出射側には偏光板１９２，２２２，２８２が所定間隔を置いて配置され、これら液晶パネルと入射側偏光及び出射側偏光板によりライトバルブを構成している。なお、出射側偏光板１９２，２２２，２８２はダイクロイックプリズム２８の各入射面との間に所定間隔を置いて配置された例を図示しているが、出射側偏光板１９２，２２２，２８２の発熱量が小さい場合にはダイクロイックプリズム２８の入射面に貼られて配置するようにしても良い。
【００２８】
一方、本発明の投射型表示装置においては、ランプ３や各液晶パネル及び偏光板を冷却するためにファンが設けられている。即ち、液晶パネル１９，２２，２８部分に外気を導入し冷却用の風を送風する第１のファン３２，３３と、ランプ３に送風された風をプロジェクターの外に排気する第２のファン３４が設けられている。なお、そのほかにプロジェクター内に冷却用の風を流通させるため、プロジェクタの側面や底面に吸気ファンを設けても良い。
【００２９】
また送風用ファンからの冷却風を液晶パネル部分に導くため、導風路を形成するエアーダクト３５が設けられている。このエアーダクト３５は、各液晶パネル１９，２２，２８の下面に配置され、前記ファン３２，３３からの冷却風を液晶パネルの下面から送風するような形状である。
【００３０】
次に、このようなエアーダクト３５の構成を図２を参照して説明する。図２は、エアーダクト３５を示す分解斜視図であり、図２において、エアーダクト３５は箱型の本体３６を有し、この本体３６の一側面には前記ファン３２からの風ａを受け入れる空気流入口３７及び前記ファン３３からの風ｂを受け入れる空気流入口３８が形成されている。なお、本実施形態では２つのファン３２，３３を設けた例を述べているが、１つのファンからの風を２つに分路し、空気流入口３７，３８に導くようにしても良い。
【００３１】
また本体３６の上面３箇所には、風の吹出口３９，４０，４１がそれぞれ形成されており、さらに空気流入口３７，３８を介して流入した風ａ，ｂを前記吹出口３９，４０，４１に導くように、本体３６の底面には後述するエアーダクト４２が取り付けられており、一点鎖線ａ１，ａ２、ｂ１，ｂ２、ｃ１，ｃ２で示す方向に風が送られる。
【００３２】
図３に示すように、前記エアーダクト３５の前記吹出口３９，４０，４１は、それぞれ対で形成されており、対の吹出口の間に位置するようにそれぞれ液晶パネル２８，２２，１９が垂直方向に取付けられ、その両側に入射側偏光板２８１，２２１，１９１及び出射側偏光板２８２，２２２，１９２が取り付けられている。
【００３３】
又、液晶パネル２８，２２，１９に囲まれる空間には、クロスプリズム２９が取付けられ、クロスプリズム２９の出力面に対向して投射レンズ３０が取付けられる。なお、図３において、一点鎖線４７はプロジェクター筐体を示している。
【００３４】
こうして図２，図３の構成によれば、ファン３２，３３からの冷却風ａ，ｂはエアーダクト３５の空気流入口３７，３８に流入され、冷却空気が３系統の導風路Ａ１，Ａ２、Ｃ１，Ｃ２、Ｂ１，Ｂ２に導かれて、吹出口３９，４０，４１から吹出され、液晶パネル１９，２２，２８の入射面及び出射面と、入射側偏光板２８１，２２１，１９１と、出射側偏光板２８２，２２２，１９２をそれぞれ冷却することになる。
【００３５】
なお、ファン３２，３３としては、シロッコファンやブロワーファンが用いられる。
以上説明した液晶プロジェクター１０の全体構造は以下に説明する本発明の各実施の形態に共通の構造である。
【００３６】
（第１の実施形態）
次に、本発明の第１の実施形態における冷却構造、並びに、上述した液晶パネル１９，２２，２８、入射側偏光板２８１，２２１，１９１、出射側偏光板２８２，２２２，１９２がどのようにして冷却されるかを、以下、図４並びに図５を参照して説明する。
【００３７】
図４は液晶パネルＡ（図１中１９，２２，２８）、入射側偏光板Ｂ（図１中２８１，２２１，１９１）、出射側偏光板Ｃ（図１中２８２，２２２，１９２）が取付られた状態の断面を示しており、液晶パネルＡは液晶パネル取付板４３により支持されている。
【００３８】
図５（ａ）は光源側から見た液晶パネル取付板４３と出射側偏光板Ｃの位置関係を示す図である。液晶パネルＡは液晶パネル取付板４３に設けられた４ヶ所の取付穴４３ａを介してネジにより液晶パネル取付板４３に取付けられる。液晶パネル取付板４３の中央部は光源からの光路を形成するために開口が形成されていて、この中央部には液晶パネル透過光照射面Ｉが位置することとなる。
【００３９】
液晶パネル取付板４３と出射側偏光板Ｃとの間隔Ｘを広げるために、図５（ａ）に示すように、液晶パネル取付板４３の上側（冷却風の風下側）の取付穴４３ａの間、並びに下側（冷却風の風上側）の取付穴４３ａの間は切り欠かれている。この切欠部Ｊを図５に示すように出射側偏光板Ｃとの対向領域よりも外側（上側並びに下側）に設けることにより、図４に示すように液晶パネル取付板４３と出射側偏光板Ｃとの間隔Ｘを広げることが可能となる。本実施の形態では、切欠部によって液晶パネル取付板４３と液晶パネルＡとの間に生じる隙間を塞ぐ遮風板４５が液晶パネルＣの周囲に設けられている。
【００４０】
図５（ｂ）は遮光マスク４４を示している。遮光マスク４４は図４中に鎖線で示すに示すように液晶パネル取付板４３と出射側偏光板Ｃとの間に取り付けられるものであり、液晶パネルＡを通過した光のうち有効表示領域の外側に漏れた光をカットするもので、図５（ｂ）に示すように中央部の有効表示領域のみ光を通過させるような開口４４（ａ）を有する。
【００４１】
図４において、ファン３２，３３から送られてきた冷却用空気（ａ，ｂ）はエアーダクト４２に入り、更にプリズム２９と出射偏光板Ｃの間を通過する図中矢印Ｄの流れと、出射偏光板Ｃと液晶パネル取付板４３，液晶パネルＡの間を通過する図４中矢印Ｅの流れと、液晶パネルＡと入射側偏光板Ｂの間を通過する図４中矢印Ｆの流れと、レンズＧ（図１中１８，２１，２７）と入射偏光板Ｂの間を通過する図４中矢印Ｈの流れに分岐し、入射側偏光板Ｂ，液晶パネルＡ及び出射側偏光板Ｃを冷却する。
【００４２】
図４において、液晶パネル取付板４３は液晶パネル透過光照射面Ｉの冷却に有効な巾で液晶パネルＡと出射側偏光板Ｃ間の寸法Ｙと液晶パネル取付板４２と出射側偏光板Ｃ間Ｘとの関係が、次式が成立するような位置と形状とされている。
【００４３】
Ｘ／Ｙ≦１　（式３）
【００４４】
即ち、液晶パネル取付板４３と出射側偏光板Ｃが干渉する部分を無くし、Ｙが小さくてもＸ／Ｙが１に近くなる構造とする。
【００４５】
液晶パネル取付板４３の位置と形状がこの式３を満足し、Ｘ／Ｙが１に近くなる構造とすることで、液晶パネル取付板４３と出射側偏光板Ｃの干渉部を無くし風路巾が狭くならないこととなる。特に、液晶パネル取付板４３が図５（ａ）に示すように出射側偏光板Ｃの下端位置Ｕ以下にあれば有効である。
【００４６】
光源側から見て出射偏光板Ｃと液晶パネル取付板４３がオーバーラップしていた場合には、オーバーラップしている部分の風路が著しく狭くなり、液晶パネルＡ及び出射偏光板Ｃを冷却効率が落ちてしまうが、液晶パネル取付板４３の形状を工夫し、開口部分を広げることで風路にあたる部分の出射偏光板Ｃとのオーバーラップを無くし、風路を確保し、液晶パネルＡ及び出射偏光板Ｃを効率良く冷却することができる。
【００４７】
本実施の形態では、風路の風上側だけでなく、風下側も同様の形状としているため、風上側ばかりでなく、風下側の風路をも確保し、冷却空気の抜けを良くすることで、液晶パネルＡ及び出射偏光板Ｃを効率良く冷却することができる。
【００４８】
上記のように、液晶パネル取付板４３の一部を切り欠いて、形状を変更することで、液晶パネル取付板４３の板厚の影響を少なくし（あるいは無くし）、液晶パネル取付板４３と出射側偏光板Ｃとの間隔Ｙを短くし、風路の断面積を小さくするという手法により冷却用空気の風速を上げることが可能となり、最終的には高輝度化と静音化を実現することが出来る。
【００４９】
（第２の実施形態）
次に、本発明の第２の実施形態における冷却構造を図６並びに図７に基づき説明する。尚、図１乃至図３にて説明した液晶プロジェクター１０の全体構造は第２の実施の形態においても同様であるため、全体構造に関する説明は省略する。
【００５０】
図６は本発明の第２の実施形態における冷却構造を示す断面図であり、図４にて説明した第１の実施形態と同一構成のものは同一の符号を付してあり、重複説明は省略するものとする。
【００５１】
図６に示すように、第２の実施形態では、第一の実施形態にて用いた遮風板４５を除去することにより、液晶パネル取付板４３と液晶パネルＡとの間に開口Ｚを形成し、この開口Ｚにより新たな導風路Ｊを確保するものである。このような構造によれば、たとえ上記の（式３）が成立しなくても、
【００５２】
（Ｘ＋Ｚ）／Ｙ≦１　（式４）が成立していれば第１の実施形態と同様の効果を得ることが可能である。
【００５３】
図７は第２の実施形態において光源側から見た液晶パネル取付板４３と出射側偏光板Ｃの位置関係を示す図である。第２の実施形態では液晶パネル取付板４３と出射側偏光板Ｃの間隔が小さくても良いため、図７から明らかなように、液晶パネル取付板４３の上側並びに下側の切欠部を必ずしも出射側偏光板Ｃとの対向領域よりも外側（上側並びに下側）に設ける必要は無い。
【００５４】
即ち、新たな風路Ｇをけることで、源側から見て出射偏光板Ｃと液晶パネル取付板４３がオーバーラップして冷却風の風路が狭くなる分を補う為、十分な風路を確保し、液晶パネルＡ及び出射偏光板Ｃを効率良く冷却することができる。
【００５５】
この第２の実施形態においては、液晶パネル取付板４３と出射側偏光板Ｃの風路巾Ｘが第１の実施形態の場合より小さくても、液晶パネル取付板４３と液晶パネルＡの風路巾Ｚが確保されれば、液晶パネルＡ並びに液晶パネル取付板４３と出射側偏光板Ｃとの間隔を短くし、風路の断面積を小さくするという手法により冷却用空気の風速を上げることが可能となり、最終的には高輝度化と静音化を実現することが出来る。
【００５６】
（第３の実施の形態）
次に、本発明の第３の実施形態における冷却構造を図８並びに図９に基づき説明する。
【００５７】
図８は本発明の第３の実施形態における冷却構造を示す断面図であり、図４にて説明した第１の実施形態と同一構成のものは同一の符号を付してあり、重複説明は省略するものとする。
【００５８】
第３の実施形態では、図８に示すように、液晶パネル取付板４３の一部が液晶パネルＡ側に折り曲げられている。
【００５９】
図９は第３の実施形態において光源側から見た液晶パネル取付板４３と出射側偏光板Ｃの位置関係を示す図である。図９に示すように、液晶パネル取付板４３の上側の取付穴４３ａの間、並びに下側の取付穴４３ａの間は第１の実施形態では切り欠いていたが、第３の実施形態ではこの部分を液晶パネルＡ側に折り曲げた折曲部４３ｂとする。
【００６０】
出射側偏光板Ｃとの対向領域よりも外側（上側並びに下側）から折曲部４３ｂを設けることにより、図８に示すように液晶パネル取付板４３と出射側偏光板Ｃとの間隔Ｘを広げることが可能となる。
【００６１】
即ち、液晶パネル取付板４３の一部を曲げることで、出射偏光板Ｃと液晶パネル取付板４３間の距離を確保することで、十分な風路が得られ、液晶パネル及び出射偏光板を効率良く冷却することができる。
【００６２】
以上のように、第３の実施形態では、液晶パネル取付板４３の一部曲げることで上記の（式３）を満足させるものであり、液晶パネルＡ並びに液晶パネル取付板４３と出射側偏光板Ｃとの間隔を短くし、風路の断面積を小さくするという手法により冷却用空気の風速を上げることが可能となり、最終的には高輝度化と静音化を実現することが出来る。
【００６３】
（第４の実施形態）
次に、本発明の第４の実施形態における冷却構造を図１０並びに図１１に基づき説明する。
【００６４】
図１０は本発明の第４の実施形態における冷却構造を示す断面図であり、図４にて説明した第１の実施形態と同一構成のものは同一の符号を付してあり、重複説明は省略するものとする。
【００６５】
図１０において、鎖線にて示す液晶パネル取付板４３は取付板４３（１）と取付板４３（２）の２つにより構成され、液晶パネルＡの冷却すべき領域に取付板４３は存在していない。
【００６６】
図１１は第４の実施形態において光源側から見た液晶パネル取付板４３と出射側偏光板Ｃの位置関係を示す図であり、図１１に示すように、本発明の第４の実施形態では液晶パネル取付板４３を、取付板４３（１）と取付板４３（２）の２つに分割し、液晶パネル透過光照射面Ｉの冷却に有効な巾には液晶パネル取付板４３を配置せず、液晶パネルＣの両脇（光源から見て右側並びに左側）において、４３（１）と取付板４３（２）に設けられた４ヶ所の取付穴４３ａを介してネジにより液晶パネル取付板４３に取り付けられる。
【００６７】
従って、第４の実施形態では液晶パネル取付板４３の影響がなくなり、液晶パネルＡと出射側偏光板Ｃの風路幅Ｙの間隔を短くし、風路の断面積を小さくするという手法により冷却用空気の風速を上げることが可能となり、最終的には高輝度化と静音化を実現することが出来る。
【００６８】
（第５の実施形態）
次に、本発明の第５の実施形態における冷却構造を図１２並びに図１３に基づき説明する。
【００６９】
図１２は本発明の第５の実施形態における冷却構造を示す断面図であり、図４にて説明した第１の実施形態と同一構成のものは同一の符号を付してあり、重複説明は省略するものとする。
【００７０】
図１２に示すように、第５の実施形態では、液晶パネルＡの入射面に液晶パネル取付板４３を配置して、ネジ４６により液晶パネルＡを液晶パネル取付板４３に取り付けている。
【００７１】
図１３は第５の実施形態において光源側から見た液晶パネル取付板４３と出射側偏光板Ｃの位置関係を示す図であり、図１３から明らかなように、第５の実施形態では液晶パネル取付板４３の切り欠きや折り曲げ等は不要である。
【００７２】
第５の実施形態では、液晶パネルＡの入射面側に液晶パネル取付板４３を配置して、液晶パネル取付板４３と出射側偏光板Ｃとの干渉による影響を無くすことにより、液晶パネル及び出射偏光板を効率良く冷却することができる。
【００７３】
従って、液晶パネルＡと出射側偏光板Ｃの風路幅Ｙの間隔を短くし、風路の断面積を小さくするという手法により冷却用空気の風速を上げることが可能となり、最終的には高輝度化と静音化を実現することが出来る。
【００７４】
以上説明した各実施の形態では、液晶パネル取付板の位置並びに形状を変えることにより、冷却用空気の風路を確保することが可能であるため、液晶パネルと出射偏光板との間隔を狭くすることにより、風路の断面積は小さくなり、冷却用空気の風速が上がる。
【００７５】
即ち、液晶パネル及び出射偏光板を冷却する能力が向上するため高輝度化を実現することが出来る。又、冷却用ファンの風量事態を変えずとも冷却能力が向上するので、風量アップによって液晶パネル表示部に付着するゴミの量が増大することもなく、さらに、吸気フィルタを冷却用空気が通過する時に発生する風切り音が増大するなどのデメリットも生じず、静音化を図ることができる。
【００７６】
各実施の形態の構造を採用し、さらに、送風量を任意の最適値に設定することで、液晶パネル面の冷却ムラを低減することができる。
【００７７】
【発明の効果】
以上説明したように本発明の液晶プロジェクターによれば、液晶パネルと偏光板の間隔を狭くすることにより冷却能力を向上させることができるという効果を奏する。
【図面の簡単な説明】
【図１】本発明の実施形態による液晶プロジェクターの構成を説明する平面図。
【図２】本発明の液晶プロジェクターのエアーダクトの構成を説明する分解斜視図。
【図３】図２のエアーダクトを組立てた状態を説明する平面図。
【図４】本発明の第１の実施形態における液晶プロジェクターの冷却装置の要部を拡大した断面図。
【図５】本発明の第１の実施形態における液晶パネル取付板の形状を説明する正面図。
【図６】本発明の第２の実施形態における液晶プロジェクターの冷却装置の要部を拡大した断面図。
【図７】本発明の第２の実施形態における液晶パネル取付板の形状を説明する正面図。
【図８】本発明の第３の実施形態における液晶プロジェクターの冷却装置の要部を拡大した断面図。
【図９】本発明の第３の実施形態における液晶パネル取付板の形状を説明する正面図。
【図１０】本発明の第４の実施形態における液晶プロジェクターの冷却装置の要部を拡大した断面図。
【図１１】本発明の第４の実施形態における液晶パネル取付板の形状を説明する正面図。
【図１２】本発明の第５の実施形態における液晶プロジェクターの冷却装置の要部を拡大した断面図。
【図１３】本発明の第５の実施形態における液晶パネル取付板の形状を説明する正面図。
【符号の説明】
Ａ，１９，２２，２８…液晶パネル
Ｂ，１９１，２２１，２７１…入射側偏光板
４３…液晶パネル取付板
Ｃ，１９２，２２２，２７２…出射偏光板
２９…プリズム
４２…エアーダクト
ａ，ｂ…冷却用空気
Ｉ…照射光
【図１】
2004061894.tif 000003
【図２】
2004061894.tif 000004
【図３】
2004061894.tif 000005
【図４】
2004061894.tif 000006
【図５】
2004061894.tif 000007
【図６】
2004061894.tif 000008
【図７】
2004061894.tif 000009
【図８】
2004061894.tif 000010
【図９】
2004061894.tif 000011
【図１０】
2004061894.tif 000012
【図１１】
2004061894.tif 000013
【図１２】
2004061894.tif 000014
【図１３】
2004061894.tif 000015